(57)【要約】【課題】薄型の情報記録再生装置に用いることが出来、更に異なる光ディスクに対して適切に情報の記録／再生を行う場合にも好適な光ピックアップ装置を提供する。【解決手段】プリズムＰＳＭを入射光束Ｌ１の光軸回りに回転させ、反射面Ｍｐ１で反射された出射光束Ｌ２の光軸を、光ディスクＢＤと遠ざかる方向に傾けた事により、青紫色半導体レーザＬＤ１、光検出器ＰＤ、その他折り曲げミラーＭＲより上流側の光学系の部品を、光ディスクＢＤに近づく方向にシフトさせる事ができ、同時に立ち上げミラーＭ２の反射面Ｍｐ２と、光ピックアップ装置底面との成す角βを４５°よりも小さく設定しているため、光ピックアップ装置の薄型化が可能である。【選択図】図７
2010152977.tif 000002
【特許請求の範囲】
【請求項１】
波長λ１の発散光束を出射する第１光源と、前記第１光源からの発散光束の発散角を変更するコリメートレンズと、前記コリメートレンズから出射された光束を反射する第１反射面を備えた第１反射素子と、前記第１反射素子から出射された光束を反射する第２反射面を備えた第２反射素子と、前記第２反射素子から出射された光束を、厚さｔ１の保護層を有する第１光ディスクの情報記録面上に集光させる第１対物レンズとを有する光ピックアップ装置であって、
前記第１反射素子への入射光束の光軸と、前記第１反射素子からの出射光束の光軸とを通過する仮想平面は、前記第１対物レンズの光軸に対して９０度以外の第１角度で交差していることを特徴とする光ピックアップ装置。
【請求項２】
前記第１反射素子の第１反射面で反射された光束は、前記第１対物レンズから離れる方向に出射することを特徴とする請求項１に記載の光ピックアップ装置。
【請求項３】
前記第１反射素子の前記第１反射面における反射角は４５度であり、前記第２反射素子の前記第２反射面における反射角は０度を超え、４５度未満であることを特徴とする請求項１又は２に記載の光ピックアップ装置。
【請求項４】
前記第２の反射素子は前記第２反射面のみを有することを特徴とする請求項１〜３のいずれかに記載の光ピックアップ装置。
【請求項５】
前記第１の反射素子は前記第１反射面のみを有することを特徴とする請求項１〜４のいずれかに記載の光ピックアップ装置。
【請求項６】
前記第１反射素子は、前記第１反射面を挟んで入射面と出射面とを有するプリズムであり、前記入射面が、前記第１光源側から入射する光束の光軸と直交しており、かつ前記出射面が、前記第１反射面で反射して前記プリズムより出射する光束の光軸と直交していることを特徴とする請求項１〜５のいずれかに記載の光ピックアップ装置。
【請求項７】
少なくとも前記光源を固定し、前記第１反射素子と前記対物レンズとを前記光ディスクのラジアル方向に可動としたことを特徴とする請求項１〜６のいずれかに記載の光ピックアップ装置。
【請求項８】
前記光ピックアップ装置は、前記第１の波長λ１とは異なる第２の波長λ２の光束を出射する第２光源と、第２対物レンズとを更に有し、前記第１反射素子は、前記第１反射面とは別に第１後段反射面を備えた複合プリズムであって、前記第１反射面は、前記第１の波長λ１の光束を反射し、前記第２の波長λ２の光束を透過するようになっており、前記第２光源から出射された発散光束は、前記コリメートレンズを透過し、前記第１反射素子に入射して前記第１反射面を透過した後、前記第１後段反射面で反射され、前記第１反射素子から出射された波長λ２の光束は、前記第２反射素子の前記第２反射面で反射され、前記第２対物レンズは、前記第２反射素子から出射された波長λ２の光束を、厚さｔ１と異なる厚さｔ２の保護層を有する第２光ディスクの情報記録面上に集光させることを特徴とする請求項１〜４のいずれかに記載の光ピックアップ装置。
【請求項９】
前記第１反射素子の前記第１後段反射面における反射角は４５度であり、且つ前記第１後段反射面で反射された光束は、前記第２対物レンズから離れる方向に出射することを特徴とする請求項８に記載の光ピックアップ装置。
【請求項１０】
前記第１反射素子は、前記波長λ２の光束が入射する入射面が、前記波長λ２の光束の光軸と直交しており、また前記波長λ２の光束が出射する出射面が、前記波長λ２の光束の光軸と直交していることを特徴とする請求項８又は９に記載の光ピックアップ装置。
【請求項１１】
前記第１反射素子を前記第１の対物レンズ及び前記第２の対物レンズに対し、前記第１光ディスク又は前記第２光ディスクのタンジェンシャル方向に設置していることを特徴とする請求項８〜１０のいずれかに記載の光ピックアップ装置。
【請求項１２】
少なくとも前記光源を固定し、前記第１反射素子と前記第２反射素子と前記対物レンズとを前記光ディスクのラジアル方向に可動としたことを特徴とする請求項８〜１１のいずれかに記載の光ピックアップ装置。
【請求項１３】
前記光ピックアップ装置は、前記第１の波長λ１とは異なる第２の波長λ２の光束を出射する第２光源と、第３反射面を備えた第３反射素子と、第４反射面を備えた第４反射素子と、第２対物レンズとを更に有し、前記第１反射素子の前記第１反射面は、前記第１の波長λ１の光束を反射し、前記第２の波長λ２の光束を透過するようになっており、前記第２光源から出射された発散光束は、前記コリメートレンズを透過し、更に前記第１反射素子の前記第１反射面を透過した後に、前記第３反射素子の前記第３反射面で反射し、前記第３反射素子から出射された光束は前記第４反射素子の前記第４反射面で反射され、前記第２対物レンズは、前記第４反射素子から出射された光束を、厚さｔ１と異なる厚さｔ２の保護層を有する第２光ディスクの情報記録面上に集光させ、
前記第３反射素子への入射光束の光軸と、前記第３反射素子からの出射光束の光軸とを通過する仮想平面は、前記第２対物レンズの光軸に対して９０度以外の第２角度で交差し、前記第１角度と前記第２角度とは異なっていることを特徴とする請求項１〜４のいずれかに記載の光ピックアップ装置。
【請求項１４】
前記第３反射素子の前記第３反射面における反射角は４５度であり、且つ前記第３反射面で反射された光束は、前記第２対物レンズから離れる方向に出射することを特徴とする請求項１３に記載の光ピックアップ装置。
【請求項１５】
前記第１反射素子は前記第１の反射面を有するプリズム又はミラーであり、前記第３反射素子は前記第３の反射面を有するプリズム又はミラーであることを特徴とする請求項１３又は１４に記載の光ピックアップ装置。
【請求項１６】
前記第１反射素子を前記第１の対物レンズに対し、前記第１光ディスクのタンジェンシャル方向に設置すると共に、前記第３反射素子を前記第２の対物レンズに対し、前記第２光ディスクのタンジェンシャル方向に設置していることを特徴とする請求項１３〜１５のいずれかに記載の光ピックアップ装置。
【請求項１７】
少なくとも前記光源を固定し、前記第１反射素子と前記第２反射素子と前記第３反射素子と前記第４反射素子と前記対物レンズとを前記光ディスクのラジアル方向に可動としたことを特徴とする請求項１３〜１６のいずれかに記載の光ピックアップ装置。
【発明の詳細な説明】
【技術分野】
【０００１】
本発明は、光ディスクに対して情報の記録及び／又は再生を行える光ピックアップ装置に関し、特に薄型の光ピックアップ装置に関する。
【背景技術】
【０００２】
従来から、ＣＤ、ＤＶＤ等の光ディスクに対して情報の記録及び／又は再生（以下、「記録及び／又は再生」を「記録／再生」と記載する）を行える光ピックアップ装置を備えた情報記録再生装置が開発されている。このような情報記録再生装置は、デスクトップ型パソコンやノート型パソコン等に搭載されることが多い。しかるに、近年はノート型パソコンの薄型化が推進されており、それに伴い情報記録再生装置の薄型化の要望が強まっている。これに対し特許文献１には、2つの偏向素子（ミラー、プリズムなど）を用いて光源部をディスク側に寄せる事により、光ヘッドの薄型化を図る技術が開示されている。
【特許文献１】特開平2-44535号公報
【発明の開示】
【発明が解決しようとする課題】
【０００３】
近年、波長４００ｎｍ程度の青紫色半導体レーザを用いて、情報の記録／再生を行える高密度光ディスクシステムの研究・開発が急速に進んでいる。一例として、ＮＡ０．８５、光源波長４０５ｎｍの仕様で情報の記録／再生を行う光ディスク、いわゆるＢｌｕ−ｒａｙ Ｄｉｓｃ（以下、ＢＤという）
では、ＤＶＤ（ＮＡ０．６、光源波長６５０ｎｍ、記憶容量４．７ＧＢ）と同じ大きさである直径１２ｃｍの光ディスクに対して、１層あたり２５ＧＢの情報の記録が可能であるが、特に青紫色半導体レーザが比較的大型であるために、これを搭載する光ピックアップ装置の薄型化を制限している。 
【０００４】
そこで、特許文献１の技術を用いて、ＢＤに対して情報の記録／再生を行う光ピックアップ装置の薄型化を図ろうとすると、以下のような問題がある。まず特許文献１の第１図に示す技術では、半導体レーザからの光束を第１ミラーで下向きに反射させ、その後第２ミラー（立ち上げミラー）で反射させて対物レンズに入射させている。ここで、特許文献１の第１図に対応する図１を参照するに、薄型の光ピックアップ装置内では、第１ミラーＭ１に入射する光束の入射角を大きくせざるを得ない。しかるに、光束を大きい入射角で反射させようとすると、大きな反射面が必要になって第１ミラーＭ１が大型化してしまうという問題がある。これに対し第１ミラーＭ１への光束の入射角を小さくすれば、第１ミラーＭ１の大型化は阻止できるが、その代わり光ピックアップ装置が厚くなるという問題が生じる。
【０００５】
一方、特許文献１の第２図、第３図に示す技術では、半導体レーザからの光束をプリズムの入射面で屈折させ、その後反射面で反射させて対物レンズに入射させている。しかるに、BD使用時に、ディスク基板厚誤差や多層ディスクにおける各層の基板厚差で発生する球面収差を補正する場合があるが、そのような場合、半導体レーザと対物レンズとの間に配置したコリメートレンズやビームエキスパンダーレンズなどの光学素子を光軸方向に移動させることにより、対物レンズへの入射光を略発散光または略収
束光として球面収差を補正する方式が一般的となっている。ところが、特許文献１の第２図や第３図に示す技術のように、発散光や収束光をプリズムに入射させる際に、入射角が０度以外であると一般的に非点収差が発生し、ＢＤの情報記録面に集光されるスポット形状が劣化し良好な記録／再生を行う事ができないと言う問題がある。
【０００６】
加えて、高密度光ディスクに対して適切に情報の記録／再生ができると言うだけでは、情報記録再生装置の製品価値は十分なものとはいえない。現在において、多種多様な情報を記録したＤＶＤやＣＤ（コンパクトディスク）が販売されている現実をふまえると、高密度光ディスクに対して情報の記録／再生ができるだけでは足らず、例えばユーザが所有しているＤＶＤやＣＤに対しても同様に適切に情報の記録／再生ができるようにすることが、高密度光ディスク用の情報記録再生装置としての商品価値を高めることに通じるのである。このような背景から、高密度光ディスク用の情報記録再生装置に搭載される光ピックアップ装置は、高密度光ディスクとＤＶＤ、更にはＣＤとの何れに対しても互換性を維持しながら適切に情報を記録／再生できる性能を有することが望まれる。しかるに、ＢＤ用の対物レンズとＤＶＤ／ＣＤ用の対物レンズとは通常は光学面形状が異なる為、それぞれ最適な光学特性を発揮できるような形状を有する２つの対物レンズを搭載して、互換使用を実現した光ピックアップ装置も開発されている。このような光ピックアップ装置の構成を簡素化し、低コスト化を図るためには、高密度光ディスク用の光学系とＤＶＤやＣＤ用の光学系とをなるべく共通化して、光ピックアップ装置を構成する光学部品点数を極力減らすのが好ましいといえる。 
【０００７】
ここで、２つの対物レンズを搭載した光ピックアップ装置の比較例を示す図２において、特許文献１の技術を用いて薄型化を実現しようとすると、入射光の波長によって反射と透過を選択する波長選択性素子ＤＭを、第１ミラーＭ１と第２ミラーＭ２との間に挿入し、例えば第１ミラーＭ１で反射した青紫色レーザ光は、波長選択性素子ＤＭで反射させて第１対物レンズＯＢＪ１によりＢＤの情報記録面に集光させ、第１ミラーＭ１で反射した赤色レーザ光もしくは赤外レーザ光は、波長選択性素子ＤＭを透過させて第２ミラーＭ２で反射させ第２対物レンズＯＢＪ２によりＤＶＤ／ＣＤの情報記録面に集光させることができる。しかしながら、図２の構成では、第２ミラーＭ２が波長選択性素子ＤＭに対して光ディスクと反対側、即ち光ピックアップ装置の底面側にシフトする事になり、ΔＨだけ光ピックアップ装置が厚くなると言う問題がある。
【０００８】
一方、図３に示すように、波長選択性素子ＤＭから第２ミラーＭ２に向かう光線Ｌを水平に出射するようにすれば、図２の構成に比して、第２ミラーＭ２を光ディスク側にシフトさせる事ができるが、波長選択性素子ＤＭの形状が複雑になると共に、光線Ｌ自体は波長選択性素子ＤＭの入射位置Ｐよりも底面側にシフトしてしまうため、薄型化するには同様に不利となる。さらに第２ミラーＭ２の傾きが略４５°となり薄型化の効果が低下すると共に、第２対物レンズＯＢＪ２のフォーカシング可動範囲Ｚを十分に確保できなくなるという問題が発生する。加えて、図２、図３の波長選択性素子ＤＭへの光束の入射角が０°でないために、透過光束において非点収差が発生する恐れもある。
【０００９】
本発明は、上述の問題に鑑みてなされたものであり、薄型の情報記録再生装置に用いることが出来、更に異なる光ディスクに対して適切に情報の記録／再生を行う場合にも好適な光ピックアップ装置を提供することを目的とする。
【課題を解決するための手段】
【００１０】
請求項１に記載の対物レンズは、波長λ１の発散光束を出射する第１光源と、前記第１光源からの発散光束の発散角を変更する（平行光束又は収束光束へ変換することを含む）コリメートレンズと、前記コリメートレンズから出射された光束を反射する第１反射面を備えた第１反射素子と、前記第１反射素子から出射された光束を反射する第２反射面を備えた第２反射素子と、前記第２反射素子から出射された光束を、厚さｔ１の保護層を有する第１光ディスクの情報記録面上に集光させる第１対物レンズとを有する光ピックアップ装置であって、
前記第１反射素子への入射光束の光軸と、前記第１反射素子からの出射光束の光軸とを通過する仮想平面は、前記第１対物レンズの光軸に対して９０度以外の第１角度で交差していることを特徴とする。
【００１１】
本発明によれば、前記第１反射素子への入射光束の光軸と、前記第１反射素子からの出射光束の光軸とを通過する仮想平面が、前記第１対物レンズの光軸に対して９０度以外の第１角度で交差しているので、かかる仮想平面が前記第１対物レンズの光軸に対して９０度で交差する場合に比べ、前記第１光源の位置を前記第１光ディスク側に寄せることが出来、光ピックアップ装置の薄型化を図ることができる。尚、コリメートレンズと第１反射素子との間に別な光学素子を配置していても良く、第１反射素子と第２反射素子との間に別な光学素子を配置していても良く、更に第２反射素子と対物レンズとの間に別な光学素子を配置していても良い。又、コリメートレンズとは、発散角を変更する光学素子の総称であるものとする。
【００１２】
請求項２に記載の光ピックアップ装置は、請求項１に記載の発明において、前記第１反射素子の第１反射面で反射された光束は、前記第１対物レンズから離れる方向に出射することを特徴とするので、前記第１光源の位置を前記第１光ディスク側に寄せることが出来、光ピックアップ装置の薄型化を図ることができる。
【００１３】
請求項３に記載の光ピックアップ装置は、請求項１又は２に記載の発明において、前記第１反射素子の前記第１反射面における反射角は４５度である（即ち９０度折り曲げる）ことを特徴とするので、前記第１反射面の面積を小さく抑えることで前記第１反射素子の小型化を図ることができ、また前記第２反射素子の前記第２反射面における反射角は０度を超え、４５度未満であることを特徴とするので、前記光ピックアップ装置の底面と前記第２反射面とのなす角は４５度未満となり、これにより前記第２反射面の最下端を光ディスク側に寄せることができ、光ピックアップ装置の薄型化を図ることができる。
【００１４】
請求項４に記載の光ピックアップ装置は、請求項１〜３のいずれかに記載の発明において、前記第２の反射素子は前記第２反射面のみを有することを特徴とするので、透過面を有しないことより、例えば第１光ディスク基板厚の誤差や多層ディスクにおける各層の基板厚差で発生する球面収差の補正等のために発散光や収束光を入射させた場合でも、非点収差の発生を抑制できるため、適切な集光スポットを光ディスクの情報記録面上に形成することができる。
【００１５】
請求項５に記載の光ピックアップ装置は、請求項１〜４のいずれかに記載の発明において、前記第１の反射素子は前記第１反射面のみを有することを特徴とするので、発散光や収束光を入射させた場合でも、非点収差の発生を抑制できるため、適切な集光スポットを光ディスクの情報記録面上に形成することができる。
【００１６】
請求項６に記載の光ピックアップ装置は、請求項１〜５のいずれかに記載の発明において、前記第１反射素子は、前記第１反射面を挟んで入射面と出射面とを有するプリズムであり、前記入射面が、前記第１光源側から入射する光束の光軸と直交しており、かつ前記出射面が、前記第１反射面で反射して前記プリズムより出射する光束の光軸と直交していることを特徴とする。この場合、前記第１反射素子は透過面としての入射面と出射面とを有しているが、発散光や収束光を入射させた場合でも、透過面への入射角を０度とすることにより非点収差の発生を抑制できるので、適切な集光スポットを光ディスクの情報記録面上に形成することができる。
【００１７】
請求項７に記載の光ピックアップ装置は、請求項１〜６のいずれかに記載の発明において、少なくとも前記光源を固定し、前記第１反射素子と前記対物レンズとを前記光ディスクのラジアル方向に可動としたことを特徴とする。大量に生産されている標準パッケージの半導体レーザを光源として用いる場合、パッケージが比較的大きいことが問題になる場合もあるが、このような半導体レーザを光ディスクの領域外に固定して配置する事で、半導体レーザに対する厚さ制限が緩和され、安価な標準パッケージの半導体レーザを用いる事が可能となり、光ヘッドのコスト低減が可能となる。
【００１８】
請求項８に記載の光ピックアップ装置は、請求項１〜４のいずれかに記載の発明において、前記第１の波長λ１とは異なる第２の波長λ２の光束を出射する第２光源と、第２対物レンズとを更に有し、前記第１反射素子は、前記第１反射面とは別に第１後段反射面を備えた複合プリズムであって、前記第１反射面は、前記第１の波長λ１の光束を反射し、前記第２の波長λ２の光束を透過するようになっており、前記第２光源から出射された発散光束は、前記コリメートレンズを透過し、前記第１反射素子に入射して前記第１反射面を透過した後、前記第１後段反射面で反射され、前記第１反射素子から出射された波長λ２の光束は、前記第２反射素子の前記第２反射面で反射され、前記第２対物レンズは、前記第２反射素子から出射された波長λ２の光束を、厚さｔ１と異なる厚さｔ２の保護層を有する第２光ディスクの情報記録面上に集光させることを特徴とする。これにより、例えばＢＤ、ＤＶＤ、ＣＤの内、少なくとも２種類の光ディスクに対して情報の記録／再生が可能になる。又、前記第１反射素子及び前記第２反射素子を、前記波長λ１の光束と前記波長λ２の光束の反射に共通して用いることが出来、部品点数の削減や組み付け性の向上を図れる。尚、同じ光学系を通って入射した波長λ３（＞λ２）の光束を、第２対物レンズを介して、厚さｔ３（＞ｔ２）の保護層を有する第３光ディスクの情報記録面上に集光させることもできる。
【００１９】
請求項９に記載の光ピックアップ装置は、請求項８に記載の発明において、前記第１反射素子の前記第１後段反射面における反射角は４５度であることを特徴とするので、前記第１後段反射面の面積を小さく抑えることで前記第１反射素子の小型化を図ることができ、且つ前記第１後段反射面で反射された光束は、前記第２対物レンズから離れる方向に出射することを特徴とするので、前記光ピックアップ装置の底面と前記第２反射面とのなす角は４５度未満となり、これにより前記第２反射面の最下端を光ディスク側に寄せることができ、光ピックアップ装置の薄型化を図ることができる。
【００２０】
請求項１０に記載の光ピックアップ装置は、請求項８又は９に記載の発明において、前記第１反射素子は、前記波長λ２の光束が入射する入射面が、前記波長λ２の光束の光軸と直交しており、また前記波長λ２の光束が出射する出射面が、前記波長λ２の光束の光軸と直交していることを特徴とするので、発散光や収束光を入射させた場合でも、透過面としての入射面と出射面への入射角を０度とすることにより非点収差の発生を抑制できるため、適切な集光スポットを光ディスクの情報記録面上に形成することができる。
【００２１】
請求項１１に記載の光ピックアップ装置は、請求項８〜１０のいずれかに記載の発明において、前記第１反射素子を前記第１の対物レンズ及び前記第２の対物レンズに対し、前記第１光ディスク又は前記第２光ディスクのタンジェンシャル方向に設置していることを特徴とする。
【００２２】
比較例として示す図４（ａ）において、支持部ＳＴから延在する対のワイヤＷＲにより支持されたホルダＨＬは、第１の対物レンズＯＢＪ１と第２の対物レンズＯＢＪ２とをタンジェンシャル方向に並べて保持しており、不図示のアクチュエータがホルダＨＬ毎、第１の対物レンズＯＢＪ１と第２の対物レンズＯＢＪ２をラジアル方向に変位させることで、トラッキング動作を行うようになっている。ここで、比較例の場合には、第１の反射素子（ここでは複合プリズムＣＰＳＭ）は、第１反射面（ここでは前段反射面ＰＭ）と第１後段反射面（ここでは後段反射面ＦＭ）を有し、第１の対物レンズＯＢＪと第２の対物レンズＯＢＪ２に対し、ラジアル方向に配置されている。従って、ホルダＨＬをトラッキング方向に変位させると、僅かな変位量で複合プリズムＣＰＳＭに当接する恐れがある。これを防ぐためには、複合プリズムＣＰＳＭをホルダＨＬから離さなくてはならず、それにより光ピックアップ装置の大型化を招く。
【００２３】
これに対し、本発明の一例を示す図４（ｂ）においては、支持部ＳＴから延在する対のワイヤＷＲにより支持されたホルダＨＬは、第１の対物レンズＯＢＪ１と第２の対物レンズＯＢＪ２とをラジアル方向に並べて保持しており、また第１の反射素子（ここでは複合プリズムＣＰＳＭ）は、第１の対物レンズＯＢＪと第２の対物レンズＯＢＪ２に対し、タンジェンシャル方向に配置されている。従って、ホルダＨＬをトラッキング方向に変位させても、複合プリズムＣＰＳＭとホルダＨＬとの距離は殆ど変わらず、よって両者を接近して配置できるので光ピックアップ装置のコンパクト化に貢献する。尚、「タンジェンシャル方向」とは、光ディスクの接線方向（周方向）をいい、「ラジアル方向」とは、光ディスクの半径方向をいうものとする。
【００２４】
請求項１２に記載の光ピックアップ装置は、請求項８〜１１のいずれかに記載の発明において、少なくとも前記光源を固定し、前記第１反射素子と前記第２反射素子と前記対物レンズとを前記光ディスクのラジアル方向に可動としたことを特徴とする。大量に生産されている標準パッケージの半導体レーザを光源として用いる場合、パッケージが比較的大きいことが問題になる場合もあるが、このような半導体レーザを光ディスクの領域外に固定して配置する事で、半導体レーザに対する厚さ制限が緩和され、安価な標準パッケージの半導体レーザを用いる事が可能となり、光ヘッドのコスト低減が可能となる。
【００２５】
請求項１３に記載の光ピックアップ装置は、請求項１〜４のいずれかに記載の発明において、前記第１の波長λ１とは異なる第２の波長λ２の光束を出射する第２光源と、第３反射面を備えた第３反射素子と、第４反射面を備えた第４反射素子と、第２対物レンズとを更に有し、前記第１反射素子の前記第１反射面は、前記第１の波長λ１の光束を反射し、前記第２の波長λ２の光束を透過するようになっており、前記第２光源から出射された発散光束は、前記コリメートレンズを透過し、更に前記第１反射素子の前記第１反射面を透過した後に、前記第３反射素子の前記第３反射面で反射し、前記第３反射素子から出射された光束は前記第４反射素子の前記第４反射面で反射され、前記第２対物レンズは、前記第４反射素子から出射された光束を、厚さｔ１と異なる厚さｔ２の保護層を有する第２光ディスクの情報記録面上に集光させ、前記第３反射素子への入射光束の光軸と、前記第３反射素子からの出射光束の光軸とを通過する仮想平面は、前記第２対物レンズの光軸に対して９０度以外の第２角度で交差し、前記第１角度と前記第２角度とは異なっていることを特徴とする。これにより、例えばＢＤ、ＤＶＤ、ＣＤの内、少なくとも２種類の光ディスクに対して情報の記録／再生が可能になる。又、前記第１反射素子と前記第３反射素子とを別個にすることで、前記第１角度と前記第２角度とを任意に異ならせることができ、前記第１対物レンズと前記第２対物レンズの十分なフォーカシング可動範囲を確保することができる。尚、同じ光学系を通って入射した波長λ３（＞λ２）の光束を、第２対物レンズを介して、厚さｔ３（＞ｔ２）の保護層を有する第３光ディスクの情報記録面上に集光させることもできる。
【００２６】
請求項１４に記載の光ピックアップ装置は、請求項１３に記載の発明において、前記第３反射素子の前記第３反射面における反射角は４５度であり、且つ前記第３反射面で反射された光束は、前記第２対物レンズから離れる方向に出射することを特徴とするので、前記光ピックアップ装置の底面と前記第４反射面とのなす角は４５度未満となり、これにより前記第４反射面の最下端を光ディスク側に寄せることができ、光ピックアップ装置の薄型化を図ることができる。
【００２７】
請求項１５に記載の光ピックアップ装置は、請求項１３又は１４に記載の発明において、前記第１反射素子は前記第１の反射面を有するプリズム又はミラーであり、前記第３反射素子は前記第３の反射面を有するプリズム又はミラーであることを特徴とするので、安価に市販されている汎用の三角柱プリズムや平面ミラーを用いることが出来、コスト低減に貢献する。
【００２８】
請求項１６に記載の光ピックアップ装置は、請求項１３〜１５のいずれかに記載の発明において、前記第１反射素子を前記第１の対物レンズに対し、前記第１光ディスクのタンジェンシャル方向に設置すると共に、前記第３反射素子を前記第２の対物レンズに対し、前記第２光ディスクのタンジェンシャル方向に設置していることを特徴とする。
【００２９】
比較例として示す図５（ａ）において、支持部ＳＴから延在する対のワイヤＷＲにより支持されたホルダＨＬは、第１の対物レンズＯＢＪ１と第２の対物レンズＯＢＪ２とをタンジェンシャル方向に並べて保持しており、不図示のアクチュエータがホルダＨＬ毎、第１の対物レンズＯＢＪ１と第２の対物レンズＯＢＪ２をラジアル方向に変位させることで、トラッキング動作を行うようになっている。ここで、比較例の場合には、第１の反射素子（ここでは第１平面ミラーＭ１）と、第３の反射素子（ここでは第３平面ミラーＭ３）が、第１の対物レンズＯＢＪと第２の対物レンズＯＢＪ２に対し、ラジアル方向に配置されている。従って、ホルダＨＬをトラッキング方向に変位させると、僅かな変位量で第１平面ミラーＭ１又は第３平面ミラーＭ３に当接する恐れがある。これを防ぐためには、第１平面ミラーＭ１及び第３平面ミラーＭ３をホルダＨＬから離さなくてはならず、それにより光ピックアップ装置の大型化を招く。
【００３０】
これに対し、本発明の一例を示す図５（ｂ）においては、支持部ＳＴから延在する対のワイヤＷＲにより支持されたホルダＨＬは、第１の対物レンズＯＢＪ１と第２の対物レンズＯＢＪ２とをラジアル方向に並べて保持しており、また第１の反射素子（ここでは第１平面ミラーＭ１）が、第１の対物レンズＯＢＪに対しタンジェンシャル方向に配置され、第３の反射素子（ここでは第３平面ミラーＭ３）が、第２の対物レンズＯＢＪ２に対しタンジェンシャル方向に配置されている。従って、ホルダＨＬをトラッキング方向に変位させても、第１平面ミラーＭ１又は第３平面ミラーＭ３とホルダＨＬとの距離は殆ど変わらず、よって両者を接近して配置できるので光ピックアップ装置のコンパクト化に貢献する。
【００３１】
請求項１７に記載の光ピックアップ装置は、請求項１３〜１６のいずれかに記載の発明において、少なくとも前記光源を固定し、前記第１反射素子と前記第２反射素子と前記第３反射素子と前記第４反射素子と前記対物レンズとを前記光ディスクのラジアル方向に可動としたことを特徴とする。大量に生産されている標準パッケージの半導体レーザを光源として用いる場合、パッケージが比較的大きいことが問題になる場合もあるが、このような半導体レーザを光ディスクの領域外に固定して配置する事で、半導体レーザに対する厚さ制限が緩和され、安価な標準パッケージの半導体レーザを用いる事が可能となり、光ヘッドのコスト低減が可能となる。
【発明の効果】
【００３２】
本発明によれば、薄型の情報記録再生装置に用いることが出来、更に異なる光ディスクに対して適切に情報の記録／再生を行う場合にも好適な光ピックアップ装置を提供することが可能になる。
【発明を実施するための最良の形態】
【００３３】
以下、本発明の実施の形態を図面を参照して説明する。図６は、第１の光ディスクであるＢＤに対して適切に情報の記録／再生を行うことができる本実施の形態の光ピックアップ装置ＰＵ１の構成を、光ディスクの軸線方向に見た概略図であり、図７は、図６の構成を矢印VII方向に見た概略図であるが、コリメートレンズ用のアクチュエータは省略している。かかる光ピックアップ装置ＰＵ１は、光情報記録再生装置に搭載できる。
【００３４】
光ピックアップ装置ＰＵ１は、対物レンズＯＢＪ、第２の反射素子としての立ち上げミラーＭ２，１／４波長板ＱＷＰ、第１の反射素子であるプリズムＰＳＭ、折り曲げミラーＭＲ、コリメートレンズＣＬ、圧電素子等を利用してコリメートレンズＣＬを光軸方向に駆動するアクチュエータＡＣ、偏光プリズムＰＰＳ、モニタＭＰＤ、回折格子Ｄ、波長λ１＝４０５ｎｍのレーザ光束（第１光束）を射出する第１の光源である青紫色半導体レーザＬＤ１、センサレンズＳＮ、光検出器ＰＤを有する。
【００３５】
プリズムＰＳＭは、反射面（第１反射面Ｍｐ１）が、直交する２面に対して４５度で傾いてなる三角柱状であり、図７に示すように、中心軸（入射光束Ｌ１の光軸）回りに角度αだけ回転変位している。従って、プリズムＰＳＭから出射する光束は、光ディスクＢＤから遠い側に向かう。かかる光束を反射して、対物レンズＯＢＪに略同軸に入射させるため、立ち上げミラーＭ２の反射面（第２反射面）Ｍｐ２は、４５度より小さい角度βで、水平線（光ピックアップ装置の底面）に対して傾いている。幾何学的関係より、β＝（９０度−α）／２となる。これにより青紫色半導体レーザＬＤ１、光検出器ＰＤ、その他折り曲げミラーＭＲより上流側の光学系を光ディスク側に寄せることが出来、コンパクトな光ピックアップ装置を提供できる。よって、プリズムＰＳＭの入射光束Ｌ１の光軸と、出射光束Ｌ２の光軸とを通過する仮想平面（図７の紙面に垂直）は、対物レンズＯＢＪの光軸に対して第１の角度αだけ傾いている。角度αは、５〜１０度であると好ましい。
【００３６】
青紫色半導体レーザＬＤ１からタンジェンシャル方向に射出された第１光束（λ１＝４０５ｎｍ）の発散光束は、回折格子Ｄによりトラッキングエラー信号検出に必要な２つのサブビーム（±1次回折光）と情報の記録・再生を行うメインビーム（０次回折光）の３つのビームに分けられるが、説明の都合上、単一の光束として説明する（以下同じ）。回折格子Ｄを通過した光束は、更に偏光プリズムＰＰＳで一部が反射してモニタＭＰＤで受光され、その残りは透過し、コリメートレンズＣＬにより略平行光束とされた後、折り曲げミラーＭＲでラジアル方向に直角に折り曲げられ、更にプリズムＰＳＭの入射面ＩＰに、光軸を直交させながら入射する。入射した光束は、反射面Ｍｐ１で反射し（反射角４５度）、プリズムＰＳＭの出射面ＯＰから、光軸を直交させながら出射する。プリズムＰＳＭから出射した光束は、１／４波長板ＱＷＰを通過して直線偏光（例えばＰ偏光）から円偏光に変換され、立ち上げミラーＭ２の反射面Ｍｐ２で反射して（反射角４５度未満）、不図示の絞りによりその光束径が規制され、対物レンズＯＢＪに入射する。ここで、対物レンズＯＢＪにより集光された光束は、厚さ０．１ｍｍの保護基板を介して、ＢＤの情報記録面上に形成されるスポットとなる。
【００３７】
情報記録面上で情報ピットにより変調された反射光束は、再び対物レンズＯＢＪ、不図示の絞りを透過した後、１／４波長板ＱＷＰにより円偏光から直線偏光（例えばＳ偏光）に変換され、同様に立ち上げミラーＭ２で反射され、プリズムＰＳＭで反射されてラジアル方向に向かい、折り曲げミラーＭＲで反射されてタンジェンシャル方向に向かい、コリメートレンズＣＬにより収斂光束とされ、偏光プリズムＰＰＳで反射した後、センサレンズＳＮを介して光検出器ＰＤの受光面上に、メインビームとサブビームに分離した状態で収束する。そして、光検出器ＰＤの出力信号を用いて、不図示のアクチュエータにより対物レンズＯＢＪをフォーカシングやトラッキングさせることで、ＢＤに記録された情報を読み取ることができる。
【００３８】
ここで、温度変化に応じて発生する球面収差の補正や、光ディスク基板厚の誤差や多層ディスクにおける各層の基板厚差で発生する球面収差の補正などのために、アクチュエータＡＣによりコリメートレンズＣＬを光軸方向に変位させることができるが、それによりコリメートレンズＣＬから出射される光束は発散光束又は収束光束となる。かかる場合でも、本実施の形態によれば、プリズムＰＳＭの入射面ＩＰ及び出射面ＯＰを通過する光束の光軸が、入射面ＩＰ及び出射面ＯＰに直交するので、非点収差を抑えて適切に情報の記録／再生を行うことができる。
【００３９】
以上、第１の実施の形態によれば、プリズムＰＳＭを入射光束Ｌ１の光軸回りに回転させ、反射面Ｍｐ１で反射された出射光束Ｌ２の光軸を、光ディスクＢＤから遠ざかる方向に傾けた事により、青紫色半導体レーザＬＤ１、光検出器ＰＤ、その他折り曲げミラーＭＲより上流側の光学系の部品を、光ディスクＢＤに近づく方向にシフトさせる事ができ、同時に立ち上げミラーＭ２の反射面Ｍｐ２と、光ピックアップ装置底面との成す角βを４５°よりも小さく設定しているため、光ピックアップ装置の薄型化が可能である。そして、第１の反射面Ｍｐ１で光路を９０°折り曲げる構成としたので、実際の光束径を考慮してもプリズムＰＳＭの反射面Ｍｐ１の面積を小さく抑える事ができ、これによりプリズムＰＳＭの大型化を防ぐ事ができる。さらに、プリズムＰＳＭへの入射光束Ｌ１の入射角及び出射光束Ｌ２の出射角が0°となるように、プリズムＰＳＭの入射面ＩＰ、出射面ＯＰを形成してあるため、プリズムＰＳＭへの入射光が発散光や収束光であっても非点収差が発生しない。よって、BDに対して収差の無い良好なスポットを集光する事が可能となり、より小型で薄型の装置にて良好な記録・再生を行う事ができる。
【００４０】
図８は、本実施の形態の変形例にかかる光ピックアップ装置の一部を示す図である。図８の変形例においては、上述した実施の形態のプリズムＰＳＭを用いる代わりに、第１の反射素子として平面ミラーＦＴＰを用いた点が異なる。平面ミラーＦＴＰを入射光束Ｌ１の光軸回りに回転させ、反射面Ｍｐ１で反射された出射光束Ｌ２の光軸を、光ディスク（図８の紙面で手前側）と遠ざかる方向に傾けているので、上述した実施の形態と同様な効果がある。それ以外の構成については、上述した実施の形態と同様であるため説明を省略する。
【００４１】
図９は、異なる光ディスクであるＢＤとＤＶＤとＣＤに対して適切に情報の記録／再生を行うことができる本実施の形態の光ピックアップ装置ＰＵ２の構成を、光ディスクの軸線方向に見た概略図であり、図１０は、図９の構成を矢印X方向に見た概略図であるが、コリメートレンズ用のアクチュエータは省略している。かかる光ピックアップ装置ＰＵ２は、光情報記録再生装置に搭載できる。ここでは、第１光ディスクをＢＤとし、第２光ディスクをＤＶＤとし、第３光ディスクをＣＤとする。
【００４２】
光ピックアップ装置ＰＵ２は、第１の対物レンズＯＢＪ１、第２の対物レンズＯＢＪ２、第２の反射素子としての立ち上げミラーＭ２，１／４波長板ＱＷＰ、第１の反射素子である複合プリズムＣＰＳＭ、折り曲げミラーＭＲ、コリメートレンズＣＬ、圧電素子等を利用してコリメートレンズＣＬを光軸方向に駆動するアクチュエータＡＣ、偏光プリズムＰＰＳ、モニタＭＰＤ、回折格子Ｄ１，Ｄ２、波長λ１＝４０５ｎｍのレーザ光束（第１光束）を射出する第１の光源である青紫色半導体レーザＬＤ１、ダイクロイックプリズムＤＰＳ、波長λ２＝６５５ｎｍのレーザ光束（第２光束）を射出する第２半導体レーザ（第２光源）と、波長λ３＝７８５ｎｍのレーザ光束（第３光束）を射出する第３半導体レーザ（第３光源）とを同一パッケージ内に収容した２レーザ１パッケージ２Ｌ１Ｐ、センサレンズＳＮ、光軸補正素子ＢＳＥ、光検出器ＰＤを有する。第１の対物レンズＯＢＪ１はＢＤ専用であり、第２の対物レンズＯＢＪ２はＤＶＤ／ＣＤ共用である。光軸補正素子ＢＳＥは、２レーザ１パッケージ２Ｌ１Ｐの軸外に設定された発光点から出射される光束（例えば赤外光）のみ作用し、光軸を傾ける機能を有するため、周知のように波長選択性の回折格子によって実現されている。
【００４３】
複合プリズムＣＰＳＭは、前段反射面（第１反射面）Ｍｐ１と、後段反射面（第１後段反射面）Ｍｐｓとを有しているが、前段反射面Ｍｐ１は、反射角４５度で波長λ１の光束を反射し、波長λ２及び波長λ３の光束は透過するような膜が形成されている。後段反射面Ｍｐｓは、前段反射面Ｍｐ１を透過した光束を反射角４５度で反射する。複合プリズムＣＰＳＭは、図１０に示すように、中心軸（入射光束Ｌ１の光軸）回りに角度αだけ回転変位している。従って、複合プリズムＣＰＳＭから出射する光束は、いずれも光ディスクから遠い側に向かう。かかる光束を反射して、対物レンズＯＢＪに略同軸に入射させるため、立ち上げミラーＭ２の反射面（第２反射面）Ｍｐ２は、４５度より小さい角度βで、水平線（光ピックアップ装置の底面）に対して傾いている。幾何学的関係より、β＝（９０度−α）／２となる。これにより青紫色半導体レーザＬＤ１、光検出器ＰＤ、その他折り曲げミラーＭＲより上流側の光学系を光ディスク側に寄せることが出来、コンパクトな光ピックアップ装置を提供できる。よって、複合プリズムＣＰＳＭの入射光束Ｌ１の光軸と、出射光束Ｌ２の光軸とを通過する仮想平面（図１０の紙面に垂直）は、対物レンズＯＢＪの光軸に対して第１の角度αだけ傾いている。角度αは、５〜１０度であると好ましい。
【００４４】
ＢＤに対して情報の記録／再生を行う場合、コリメートレンズＣＬはＢＤに最適な光軸位置に変位させられる。青紫色半導体レーザＬＤ１からラジアル方向に射出された第１光束（λ１＝４０５ｎｍ）の発散光束は、回折格子Ｄ１によりトラッキングエラー信号検出に必要な２つのサブビーム（±1次回折光）と情報の記録・再生を行うメインビーム（０次回折光）の３つのビームに分けられる。回折格子Ｄ１から出射した光束は、更にダイクロイックプリズムＤＰＳで一部が透過してモニタＭＰＤで受光され、その残りは反射してタンジェンシャル方向に向かい、更に偏光プリズムＰＰＳを透過し、コリメートレンズＣＬにより平行光束とされた後、折り曲げミラーＭＲでラジアル方向に直角に折り曲げられ、更に複合プリズムＣＰＳＭの入射面ＩＰに、光軸を直交させながら入射する。入射した光束は、前段反射面Ｍｐ１で反射し（反射角４５度）、複合プリズムＣＰＳＭの出射面ＯＰから、光軸を直交させながら出射する。複合プリズムＣＰＳＭから出射した光束は、１／４波長板ＱＷＰを通過して直線偏光（例えばＰ偏光）から円偏光に変換され、立ち上げミラーＭ２の反射面Ｍｐ２で反射して（反射角４５度未満）、不図示の絞りによりその光束径が規制され、第１の対物レンズＯＢＪ１に入射する。ここで、第１の対物レンズＯＢＪ１により集光された光束は、厚さ０．１ｍｍの保護基板を介して、ＢＤの情報記録面上に形成されるスポットとなる。
【００４５】
情報記録面上で情報ピットにより変調された反射光束は、再び第１の対物レンズＯＢＪ１、不図示の絞りを透過した後、１／４波長板ＱＷＰにより円偏光から直線偏光（例えばＳ偏光）に変換され、同様に立ち上げミラーＭ２で反射され、複合プリズムＣＰＳＭの前段反射面Ｍｐ１で反射されてラジアル方向に向かい、折り曲げミラーＭＲで反射されてタンジェンシャル方向に向かい、コリメートレンズＣＬにより収斂光束とされ、偏光プリズムＰＰＳで反射した後、センサレンズＳＮ及び光軸補正素子ＢＳＥを介して光検出器ＰＤの受光面上に、メインビームとサブビームに分離した状態で収束する。そして、光検出器ＰＤの出力信号を用いて、不図示のアクチュエータにより第１の対物レンズＯＢＪ１をフォーカシングやトラッキングさせることで、ＢＤに記録された情報を読み取ることができる。
【００４６】
ＤＶＤ又はＣＤに対して情報の記録／再生を行う場合、コリメートレンズＣＬはそれぞれＤＶＤ又はＣＤに最適な光軸位置に変位させられる。２レーザ１パッケージ２Ｌ１Ｐからタンジェンシャル方向に射出された第２光束（λ２＝６５５ｎｍ）又は第３光束（λ３＝７８５ｎｍ）の発散光束は、回折格子Ｄ２によりトラッキングエラー信号検出に必要な２つのサブビーム（±1次回折光）と情報の記録・再生を行うメインビーム（０次回折光）の３つのビームに分けられる。回折格子Ｄ２から出射した光束は、更にダイクロイックプリズムＤＰＳで一部が反射してモニタＭＰＤで受光され、その残りは透過して更に偏光プリズムＰＰＳを透過し、コリメートレンズＣＬにより平行光束とされた後、折り曲げミラーＭＲでラジアル方向に直角に折り曲げられ、更に複合プリズムＣＰＳＭの入射面ＩＰに、光軸を直交させながら入射する。入射した光束は、前段反射面Ｍｐ１を透過し、後段反射面Ｍｐｓで反射し（反射角４５度）、複合プリズムＣＰＳＭの出射面ＯＰから、光軸を直交させながら出射する。複合プリズムＣＰＳＭから出射した光束は、１／４波長板ＱＷＰを通過して直線偏光（例えばＰ偏光）から円偏光に変換され、立ち上げミラーＭ２の反射面Ｍｐ２で反射して（反射角４５度未満）、不図示の絞りによりその光束径が規制され、第２の対物レンズＯＢＪ２に入射する。ここで、第２の対物レンズＯＢＪ２により集光された光束は、厚さ０．６ｍｍ又は１．２ｍｍの保護基板を介して、ＤＶＤ又はＣＤの情報記録面上に形成されるスポットとなる。
【００４７】
情報記録面上で情報ピットにより変調された反射光束は、再び第２の対物レンズＯＢＪ２、不図示の絞りを透過した後、１／４波長板ＱＷＰにより円偏光から直線偏光（例えばＳ偏光）に変換され、同様に立ち上げミラーＭ２で反射され、複合プリズムＣＰＳＭの後段反射面Ｍｐｓで反射されてラジアル方向に向かい前段反射面Ｍｐ１を透過して、折り曲げミラーＭＲで反射されてタンジェンシャル方向に向かい、コリメートレンズＣＬにより収斂光束とされ、偏光プリズムＰＰＳで反射した後、センサレンズＳＮ及び光軸補正素子ＢＳＥを介して一方の波長の光束（例えば赤外光）のみ光軸を補正され、光検出器ＰＤの受光面上にメインビームとサブビームに分離した状態で収束する。そして、光検出器ＰＤの出力信号を用いて、不図示のアクチュエータにより第２の対物レンズＯＢＪ２をフォーカシングやトラッキングさせることで、ＤＶＤ又はＣＤに記録された情報を読み取ることができる。
【００４８】
ここで、温度変化に応じて発生する球面収差の補正や、光ディスク基板厚の誤差や多層ディスクにおける各層の基板厚差で発生する球面収差の補正などのために、アクチュエータＡＣによりコリメートレンズＣＬを光軸方向に変位させることができるが、それによりコリメートレンズＣＬから出射される光束は発散光束又は収束光束となる。かかる場合でも、本実施の形態によれば、複合プリズムＣＰＳＭの入射面ＩＰ及び出射面ＯＰを通過する光束の光軸が、入射面ＩＰ及び出射面ＯＰに直交するので、非点収差を抑えて適切に情報の記録／再生を行うことができる。又、本実施の形態においては、１／４波長板ＱＷＰ、立ち上げミラーＭ２を共通に用いることで、部品点数の削減を図れる。
【００４９】
以上、第２の実施の形態によれば、複合プリズムＣＰＳＭを入射光束Ｌ１の光軸回りに回転させ、前段反射面Ｍｐ１又は後段反射面Ｍｐｓで反射された出射光束Ｌ２の光軸を、光ディスクと遠ざかる方向に傾けた事により、青紫色半導体レーザＬＤ１、２レーザ１パッケージ２Ｌ１Ｐ、光検出器ＰＤ、その他折り曲げミラーＭＲより上流側の光学系の部品を、光ディスクに近づく方向にシフトさせる事ができ、同時に立ち上げミラーＭ２の反射面Ｍｐ２と、光ピックアップ装置底面との成す角βを４５°よりも小さく設定しているため、光ピックアップ装置の薄型化が可能である。そして、前段反射面Ｍｐ１又は後段反射面Ｍｐｓで光路を９０°折り曲げる構成としたので、実際の光束径を考慮しても複合プリズムＣＰＳＭの前段反射面Ｍｐ１又は後段反射面Ｍｐｓの面積を小さく抑える事ができ、これにより複合プリズムＣＰＳＭの大型化を防ぐ事ができる。さらに、複合プリズムＣＰＳＭへの入射光束Ｌ１の入射角及び出射光束Ｌ２の出射角が0°となるように、複合プリズムＣＰＳＭの入射面ＩＰ、出射面ＯＰを形成してあるため、複合プリズムＣＰＳＭへの入射光が発散光や収束光であっても非点収差が発生しない。よって、BD、ＤＶＤ、ＣＤのいずれに対して収差の無い良好なスポットを集光する事が可能となり、より小型で薄型の装置にて良好な記録・再生を行う事ができる。
【００５０】
図１１は、本実施の形態の変形例にかかる光ピックアップ装置の一部を示す図である。図１１の変形例においては、上述した実施の形態の複合プリズムＣＰＳＭを用いる代わりに、第１の反射素子として、２つの三角柱の斜面同士を貼り合わせてなるプリズムＰＳＭ１（第１反射面Ｍｐ１を有する）と、第３の反射素子として三角柱状のプリズムＰＳＭ２（第３反射面Ｍｐ３を有する）を用いた点が異なる。プリズムＰＳＭ１，ＰＳＭ２を、入射光束Ｌ１の光軸回りにそれぞれ回転させ、第１反射面Ｍｐ１及び第３反射面Ｍｐ３で反射された出射光束Ｌ２の光軸を、光ディスク（図１１の紙面で手前側）と遠ざかる方向に傾けているので、上述した実施の形態と同様な効果がある。それ以外の構成については、上述した実施の形態と同様であるため説明を省略する。尚、BD用の第１の対物レンズＯＢＪ１を、第１反射面Ｍｐ１側に配置し、DVD/CD用の第２の対物レンズを第３反射面Ｍｐ３側に配置したが、ＤＶＤ／ＣＤ用の第２の対物レンズＯＢＪ２を、第１反射面Ｍｐ１側に配置し、ＢＤ用の第１の対物レンズを第３反射面Ｍｐ３側に配置しても良い。
【００５１】
図１２は、本実施の形態の別な変形例にかかる光ピックアップ装置の一部を示す図である。図１２の変形例においては、上述した実施の形態の複合プリズムＣＰＳＭを用いる代わりに、第１の反射素子として平面ミラーＦＴＰ１（第１反射面Ｍｐ１を有する）、第３の反射素子として平面ミラーＦＴＰ２（第３反射面Ｍｐ３を有する）を用いた点が異なる。平面ミラーＦＴＰ１，ＦＴＰ２を、入射光束Ｌ１の光軸回りにそれぞれ回転させ、第１反射面Ｍｐ１及び第３反射面Ｍｐ３で反射された出射光束Ｌ２の光軸を、光ディスク（図１２の紙面で手前側）と遠ざかる方向に傾けているので、上述した実施の形態と同様な効果がある。それ以外の構成については、上述した実施の形態と同様であるため説明を省略する。本変形例では、非点収差の発生に敏感なBD用の第１の対物レンズＯＢＪ１を、第１反射面Ｍｐ１側に配置し、DVD/CD用の第２の対物レンズを第３反射面Ｍｐ３側に配置することが好ましい。
【００５２】
ところでBD専用対物レンズとDVD/CD用互換対物レンズは、一般的には作動距離やレンズ厚さが異なる。また、BD、DVD、CDの面振れ量も異なる。これらの要因により、対物レンズのフォーカス方向可動範囲をそれぞれ最適に設定した方が良い場合がある。以下に説明する第３の実施の形態は、この点に鑑みて考案されたものであり、BD用の第１反射素子と、DVD/CD用の第３反射素子それぞれ専用に分離配置し、反射面の角度を互いに変えている。
【００５３】
図１３（ａ）は、別な実施の形態にかかる光ピックアップ装置の一部を示す図であり、図１３（ｂ）は、図１３（ａ）の構成をXIIIB-XIIIB線で切断して矢印方向に見た図であり、図１３（ｃ）は、図１３（ａ）の構成をXIIIC-XIIIC線で切断して矢印方向に見た図である。本実施の形態においては、図１１の変形例と同様に、第１の反射素子として２つの三角柱からなるプリズムＰＳＭ１（第１反射面Ｍｐ１を有する）と、第３の反射素子として三角柱状のプリズムＰＳＭ２（第３反射面Ｍｐ３を有する）を用いているが、入射光束Ｌ１の光軸回りの回転角をそれぞれ異ならせている。より具体的には、プリズムＰＳＭ１の回転角（第１角度）α１（図１３（ｂ））と、プリズムＰＳＭ２の回転角（第２角度）α２との間には、α１＞α２（或いはα１＜α２）の関係がある。従って、プリズムＰＳＭ１からの出射光束を反射するＢＤ用立ち上げミラー（第２の反射素子）Ｍ２の反射面（第２反射面）Ｍｐ２は、水平線（光ピックアップ装置の底面）に対して角度β１＝（９０度−α１）／２で傾いており、プリズムＰＳＭ２からの出射光束を反射するＤＶＤ／ＣＤ用立ち上げミラー（第４の反射素子）Ｍ４の反射面（第４反射面）Ｍｐ４は、水平線（光ピックアップ装置の底面）に対して角度β２＝（９０度−α２）／２で傾いている。即ち、プリズムＰＳＭ２への入射光束の光軸と、プリズムＰＳＭ２からの出射光束の光軸とを通過する仮想平面は、第２対物レンズＯＢＪ２の光軸に対して９０度以外の第２角度α２で傾いており、またプリズムＰＳＭ２の第３反射面Ｍｐ３における反射角は４５度であり、且つ第３反射面Ｍｐ３で反射された光束は、第２対物レンズＯＢＪ２から離れる方向に出射する。これにより、ＢＤ用の第１の対物レンズＯＢＪ１とＢＤ用立ち上げミラーＭ２との間隔、ＤＶＤ／ＣＤ用の第２の対物レンズＯＢＪ２とＤＶＤ／ＣＤ用立ち上げミラーＭ４の間隔をそれぞれ任意に設定でき、所望のフォーカシング可動範囲を与えることができる。尚、１／４波長板ＱＷＰは、ＢＤ用とＤＶＤ／ＣＤ用とで異ならせているが、プリズムＰＳＭの上流側に設ければ共通化できる。
【００５４】
以上の実施の形態に対して、折り曲げミラーＭＲを省略し、コリメートレンズＣＬを通過した光束を、直接第１の反射素子に入射させても良い。
【００５５】
図１４は、図９，１０の実施の形態に対する変形例を示す図である。図１４においては、青紫色半導体レーザＬＤ１及び２レーザ１パッケージ２Ｌ１ＰからコリメートレンズＣＬまでの光路内の素子、及び光検出器ＰＤからコリメートレンズＣＬまでの光路内の素子を、不図示のケースに固定している。コリメートレンズＣＬからの出射光束は、光ディスクのラジアル方向に出射される。かかる光束を入射面ＩＰで、光軸が直交するように入射する１の反射素子である複合プリズムＣＰＳＭ、１／４波長板ＱＷＰ、立ち上げミラーＭ２，第１の対物レンズＯＢＪ１，第２の対物レンズＯＢＪ２は、不図示のキャリヤに搭載して光ディスクのラジアル方向に移動可能となっている。尚、本変形例は、図６，７に示す実施の形態にも適用可能である。即ち、少なくとも半導体レーザを固定し、第１反射素子と対物レンズとを光ディスクのラジアル方向に可動とすることで、同様な効果を得ることができる。
【００５６】
特に青紫色半導体レーザＬＤ１は、レーザチップを空気に触れさせる事ができないため、赤色半導体レーザや赤外半導体レーザＬＤのように、フレームタイプの構造を採ることができない。従って、青紫色半導体レーザＬＤ１は、レーザチップを空気に触れないように遮蔽されたCANパッケージ構造となっており、薄型に不利である。図１４の実施の形態は、この点に鑑みて考案されたものであり、青紫色半導体レーザＬＤ１を、ラジアル方向に可動な対物レンズ等から分離して固定し、薄型化に不利な青紫色半導体レーザＬＤ１を厚さの制約の緩い光ディスク領域外に配置したものである。本構成により、既に量産されている安価なCANタイプの青紫色半導体レーザＬＤ１が使え、特殊なパッケージを起こす必要がなく、光ピックアップ装置のコストを抑える事が可能となる。
【図面の簡単な説明】
【００５７】
【図１】特許文献１の第１図に対応する従来技術を示す図である。
【図２】特許文献１の第２図に対応する従来技術を示す図である。
【図３】特許文献１の第３図に対応する従来技術を示す図である。
【図４】本発明の一例を示す図である。
【図５】本発明の一例を示す図である。
【図６】第１の実施の形態にかかる光ピックアップ装置ＰＵ１の構成を、光ディスクの軸線方向に見た概略図である。
【図７】図６の構成を矢印VII方向に見た概略図である。
【図８】本実施の形態の変形例を示す図である。
【図９】第２の実施の形態にかかる光ピックアップ装置ＰＵ２の構成を、光ディスクの軸線方向に見た概略図である。
【図１０】図９の構成を矢印X方向に見た概略図である。
【図１１】本実施の形態の変形例を示す図である。
【図１２】本実施の形態の別な変形例を示す図である。
【図１３】第３の実施の形態にかかる光ピックアップ装置の構成の一部を示す図である。
【図１４】図９，１０の実施の形態に対する変形例を示す図である。
【符号の説明】
【００５８】
ＡＣ アクチュエータ
ＢＳＥ 光軸補正素子
ＣＬ コリメートレンズ
ＣＰＳＭ 複合プリズム
Ｄ 回折格子
Ｄ１，Ｄ２ 回折格子
ＤＰＳ ダイクロイックプリズム
ＦＴＰ 平面ミラー
ＦＴＰ１，ＦＴＰ２ 平面ミラー
ＩＰ 入射面
Ｌ１ 入射光束
Ｌ２ 出射光束
ＬＤ１ 青紫色半導体レーザ
Ｍ２ 立ち上げミラー
Ｍ４ 立ち上げミラー
ＭＰＤ モニタ
ＭＲ ミラー
Ｍｐ１ 第１反射面（前段反射面）
Ｍｐ２ 第２反射面
Ｍｐ３ 第３反射面
Ｍｐｓ 後段反射面
ＯＢＪ 対物レンズ
ＯＢＪ１ ＢＤ用第１の対物レンズ
ＯＢＪ２ ＤＶＤ／ＣＤ用第２の対物レンズ
ＯＰ 出射面
ＰＤ 光検出器
ＰＰＳ 偏光プリズム
ＰＳＭ プリズム
ＰＳＭ１，ＰＳＭ２ プリズム
ＰＵ１ 光ピックアップ装置
ＰＵ２ 光ピックアップ装置
ＱＷＰ  １／４波長板
ＳＮ センサレンズ
【図１】
2010152977.tif 000003
【図２】
2010152977.tif 000004
【図３】
2010152977.tif 000005
【図４】
2010152977.tif 000006
【図５】
2010152977.tif 000007
【図６】
2010152977.tif 000008
【図７】
2010152977.tif 000009
【図８】
2010152977.tif 000010
【図９】
2010152977.tif 000011
【図１０】
2010152977.tif 000012
【図１１】
2010152977.tif 000013
【図１２】
2010152977.tif 000014
【図１３】
2010152977.tif 000015
【図１４】
2010152977.tif 000016